(57)【要約】【課題】  機器の吸気口に設置された樹脂フィルター又はフィルター枠に脱着自在に取り付けられるフィルター構造体を提供する。【解決手段】  フィルター構造体１１は、ＰＥＴ繊維を丸編みすることで袋状に形成されたフィルター本体１４を有しており、開放部１７の全周には、ポリウレタンゴム１８が取り付けられている。使用に際しては、開放部１８を経由してフィルター構造体１１の内方に樹脂フィルター７７を挿入してから、ポリウレタンゴム１８で固定する。次に、この状態の樹脂フィルター７７を浴室換気乾燥機の吸気口に設置する。このようにすると、取り付け可能な樹脂フィルターの範囲が拡大するので、使用勝手が向上する効率的なフィルター構造体１１となる。【選択図】      図３
2015009172.tif 000002
【特許請求の範囲】
【請求項１】
機器の吸気口に設置された樹脂フィルター又はフィルター枠に脱着自在に取り付けられるフィルター構造体であって、
少なくとも一方に開放部を有し、伸縮自在に構成された筒状のフィルター本体と、
前記開放部の全周に取り付けられ、伸縮自在のリング状のバンド体とを備えた、フィルター構造体。
【請求項２】
前記フィルター本体は、前記開放部を１つとする袋状に形成される、請求項１記載のフィルター構造体。
【請求項３】
前記機器は、浴室換気乾燥機を含み、
前記フィルター本体は、最大３００デニールの太さの繊維により６０メッシュ以下に形成される、請求項１又は請求項２記載のフィルター構造体。
【請求項４】
前記フィルター本体は、周方向に連続する丸編みによって形成される、請求項３記載のフィルター構造体。
【発明の詳細な説明】
【技術分野】
【０００１】
この発明は、フィルター構造体に関し、特に機器の吸気口に設置された樹脂フィルター又はフィルター枠に脱着自在に取り付けられるフィルター構造体に関するものである。
【背景技術】
【０００２】
浴室内の天井に設置され、浴室内の換気を行うと共に、浴室内で洗濯物の乾燥も可能な浴室換気乾燥機が種々提案されている。
【０００３】
図１０は浴室換気乾燥機の外観形状の１例を概略的に示した斜視図である。
【０００４】
図を参照して、浴室換気乾燥機６１は、天井６５に設置され、図示しない吸気口を介して吸気が行われる。その際、浴室換気乾燥機６１として、吸気口に図示しない樹脂フィルターが設置されるタイプと、フィルター枠が設置されるタイプとが提供されている。
【０００５】
図１１は樹脂フィルターが設置される浴室換気乾燥機の概略分解斜視図であり、図１２はフィルター枠が設置される浴室換気乾燥機の概略分解斜視図である。
【０００６】
まず図１１を参照して、浴室換気乾燥機７１は、吸気口７３を覆うメッシュ面７６を備えた樹脂フィルター７７が設置されるタイプである。樹脂フィルター７７は、浴室換気乾燥機７１に設けられたフィルター挿入口７４から挿入することで取り付けられる。尚、このようなタイプの浴室換気乾燥機は特許文献１や特許文献２に開示されている。
次に、図１２を参照して、浴室換気乾燥機８１は、不織布８６を取り付けたフィルター枠８７が吸気口８３に設置されるタイプである。尚、このようなタイプの浴室換気乾燥機は特許文献３や特許文献４に開示されている。
【先行技術文献】
【特許文献】
【０００７】
【特許文献１】特開２００８−１９０７３０号公報
【特許文献２】特開２０１０−１４５０４０号公報
【特許文献３】特開平８−２８０９９８号公報
【特許文献４】特開２０１１−６９５５４号公報
【発明の概要】
【発明が解決しようとする課題】
【０００８】
ところで、図１１に示した浴室換気乾燥機７１にあっては、使用によって樹脂フィルター７７のメッシュ面７６にホコリが付着した場合、樹脂フィルター７７を取り外してホコリを除去しなければならないが、その際、ホコリが図示しない浴室内や浴室換気乾燥機７１の内部に落下する虞がある。又、ホコリを除去するために樹脂フィルター７７を水洗いする際、不用意にメッシュ面７６を破いてしまう虞もある。更に、メッシュ面７６の目が粗い場合には、細かなホコリがメッシュ面７６通過して浴室換気乾燥機７１の内部へ侵入してしまう虞がある。
【０００９】
一方、図１２に示した浴室換気乾燥機８１では、フィルター枠８７専用の不織布８６を使用しなければ、浴室換気乾燥機８１の圧力損失が大きくなることで吸気量が減少し、これにより浴室換気乾燥機８１の内部の温度が上昇し、図示しないサーモスタットが作動してしまうことがある。そうなると浴室換気乾燥機８１によって浴室内の温度を上昇させることができず、浴室換気乾燥機８１の機能が低下してしまう。又、ホコリが付着した不織布８６を洗浄し、繰り返し使用することは非衛生的であり好ましくない。尚、不織布８６の代わりに圧力損失の少ないフィルター（図示せず）を使用することも考えられるが、そうした場合、ホコリがフィルターを通過して浴室換気乾燥機８１の内部が汚れてしまう。その他、不織布８６の代わりに図示しない帯電フィルターを使用することも考えられるが、浴室換気乾燥機８１に対して使用する場合には、帯電フィルターの表面に水蒸気が付着してしまうため、フィルターとしての性能が十分に発揮されない。
【００１０】
この発明は上記のような課題を解決するためになされたもので、機器の吸気口に設置された樹脂フィルター又はフィルター枠に脱着自在に取り付けられるフィルター構造体を提供することを目的とする。
【課題を解決するための手段】
【００１１】
上記の目的を達成するために、請求項１記載の発明は、機器の吸気口に設置された樹脂フィルター又はフィルター枠に脱着自在に取り付けられるフィルター構造体であって、少なくとも一方に開放部を有し、伸縮自在に構成された筒状のフィルター本体と、開放部の全周に取り付けられ、伸縮自在のリング状のバンド体とを備えたものである。
【００１２】
このように構成すると、取り付け可能な樹脂フィルターやフィルター枠の範囲が拡大する。
【００１３】
請求項２記載の発明は、請求項１記載の発明の構成において、フィルター本体は、開放部を１つとする袋状に形成されるものである。
【００１４】
このように構成すると、フィルター本体の取付位置が定まる。
【００１５】
請求項３記載の発明は、請求項１又は請求項２記載の発明の構成において、機器は、浴室換気乾燥機を含み、フィルター本体は、最大３００デニールの太さの繊維により６０メッシュ以下に形成されるものである。
【００１６】
このように構成すると、浴室換気乾燥機の作動の影響が少なく、樹脂フィルター等に取り付ける嵩も低くなる。
【００１７】
請求項４記載の発明は、請求項３記載の発明の構成において、フィルター本体は、周方向に連続する丸編みによって形成されるものである。
【００１８】
このように構成すると、繊維の特性にかかわらず、周方向に伸び易くなる。
【発明の効果】
【００１９】
以上説明したように、請求項１記載の発明は、取り付け可能な樹脂フィルターやフィルター枠の範囲が拡大するので、使用勝手が向上する効率的なフィルター構造体となる。
【００２０】
請求項２記載の発明は、請求項１記載の発明の効果に加えて、フィルター本体の取付位置が定まるので、フィルター構造体の取り付けが容易となる。
【００２１】
請求項３記載の発明は、請求項１又は請求項２記載の発明の効果に加えて、浴室換気乾燥機の作動の影響が少なく、樹脂フィルター等に取り付ける嵩も低くなるので、効率的なフィルター構造体となる。
【００２２】
請求項４記載の発明は、請求項３記載の発明の効果に加えて、繊維の特性にかかわらず、周方向に伸び易くなるので、樹脂フィルター等への取り付けが容易となる。
【図面の簡単な説明】
【００２３】
【図１】この発明の第１の実施の形態によるフィルター構造体の外観形状を示した斜視図である。
【図２】図１で示した“Ｘ”部分の拡大図である。
【図３】図１で示したフィルター構造体を樹脂フィルターに取り付ける前の、フィルター構造体及び樹脂フィルターの外観形状を概略的に示した斜視図である。
【図４】図１で示したフィルター構造体を樹脂フィルターに取り付けた後の、樹脂フィルターの外観形状を概略的に示した正面図である。
【図５】図４で示したＶ−Ｖラインの断面図である。
【図６】図４及び図５で示した樹脂フィルターの、浴室換気乾燥機への取付工程の１例を示した概略分解斜視図である。
【図７】本発明に係るフィルター構造体が取り付けられたフィルター枠の、浴室換気乾燥機への取付工程を示した概略分解斜視図である。
【図８】図１で示したフィルター構造体において、他の樹脂フィルターにフィルター構造体を取り付ける前の、フィルター構造体及び樹脂フィルターの外観形状を概略的に示した斜視図である。
【図９】図８に対応した図であって、フィルター構造体の取付工程を概略的に示した正面図である。
【図１０】浴室換気乾燥機の外観形状の１例を概略的に示した斜視図である。
【図１１】樹脂フィルターが設置される浴室換気乾燥機の概略分解斜視図である。
【図１２】フィルター枠が設置される浴室換気乾燥機の概略分解斜視図である。
【発明を実施するための形態】
【００２４】
図１はこの発明の第１の実施の形態によるフィルター構造体の外観形状を示した斜視図であり、図２は図１で示した“Ｘ”部分の拡大図である。
【００２５】
これらの図を参照して、フィルター構造体１１は、袋状に形成されたフィルター本体１４を中心として構成されている。フィルター本体１４は開放部１７を１つ有し、開放部１７の全周には、ポリウレタンゴム１８が取り付けられている。尚、フィルター本体１４は、繊維の太さが２０デニール（約４５μｍ）のポリエチレンテレフタレート（ＰＥＴ）繊維１５が、周方向に連続して丸編みされることで伸縮自在に構成されている。
【００２６】
次に、図１で示したフィルター構造体の、浴室換気乾燥機の樹脂フィルターへの取り付けについて説明する。
【００２７】
図３は図１で示したフィルター構造体を樹脂フィルターに取り付ける前の、フィルター構造体及び樹脂フィルターの外観形状を概略的に示した斜視図であり、図４は図１で示したフィルター構造体を樹脂フィルターに取り付けた後の、樹脂フィルターの外観形状を概略的に示した正面図であり、図５は図４で示したＶ−Ｖラインの断面図である。
【００２８】
これらの図を参照して、取り付けに際しては、まず図３に示したように、ポリウレタンゴム１８を拡げた開放部１７を経由してフィルター構造体１１の内方に樹脂フィルター７７を挿入する。このとき、フィルター本体１４は、丸編みによって形成されることで周方向に伸びやすく構成されているため、樹脂フィルター７７を容易に挿入できる。又、フィルター本体１４が袋状に形成されることでフィルター本体１４の取付位置が奥側において定まるため、フィルター構造体１１の取り付けは容易となる。更に、開放部１７の全周に取り付けられたポリウレタンゴム１８によってフィルター構造体１１は樹脂フィルター７７に固定されるので、フィルター構造体１１が樹脂フィルター７７から不用意に落下する虞もない。
【００２９】
こうしてフィルター構造体１１が取り付けられることで、図４や図５に示したように、樹脂フィルター７７はフィルター本体１４によって覆われる。
【００３０】
次に、フィルター構造体が取り付けられた樹脂フィルターの、浴室換気乾燥機への設置について説明する。
【００３１】
図６は図４及び図５で示した樹脂フィルターの、浴室換気乾燥機への取付工程の１例を示した概略分解斜視図である。
【００３２】
図を参照して、フィルター構造体１１が取り付けられた樹脂フィルター７７を、浴室換気乾燥機７１の吸気口７３に設置することができる。その際、樹脂フィルター７７は、フィルター挿入口７４から挿入することで取り付けられる。尚、フィルター本体１４は、２０デニールの太さの繊維から構成されていると共に伸縮性に富んでいるためフィルター本体１４は樹脂フィルター７７の形状に寄り添っている。そのため、フィルター構造体１１の影響を受けることはなく、樹脂フィルター７７をフィルター挿入口７４にスムーズに挿入できる。
【００３３】
尚、ここまでは吸気口に樹脂フィルターを設置するタイプの浴室換気乾燥機についての取り付けについて説明してきたが、吸気口にフィルター枠を設置するタイプの浴室換気乾燥機についても、次のようにして本発明に係るフィルター構造体を適用できる。
【００３４】
図７は本発明に係るフィルター構造体が取り付けられたフィルター枠の、浴室換気乾燥機への取付工程を示した概略分解斜視図である。
【００３５】
図７の（１）を参照して、吸気口８３にフィルター枠８７が設置される浴室換気乾燥機８１にあっては、フィルター枠８７にフィルター構造体１１を取り付けた後、図７の（２）に示したように、フィルター枠８７を浴室換気乾燥機８１の所定位置に設置すれば良い。
【００３６】
このようにしてフィルター構造体１１を樹脂フィルター７７（図６参照）又はフィルター枠８７（図７参照）に取り付けることで、フィルター本体１４によってホコリが捕捉されるため、ホコリが浴室換気乾燥機７１（図６参照）や浴室換気乾燥機８１（図７参照）の内部に侵入する虞はない。又、フィルター本体１４は丸編みのメッシュ構造であるため、フィルター構造体１１を取り付けることで、浴室換気乾燥機７１（又は８１）の吸気時に空気の流れが妨げられることはない。更に、フィルター本体１４がＰＥＴ繊維から形成されることで耐水性を備えているため、ホコリが付着したフィルター構造体１１を取り外して水洗いし、繰り返し使用できるため経済的である。
【００３７】
尚、本発明に係るフィルター構造体は、サイズの異なる樹脂フィルターやフィルター枠にも適用できる。これについて、樹脂フィルターの場合を例にして、以下に説明する。
【００３８】
図８は図１で示したフィルター構造体において、他の樹脂フィルターにフィルター構造体を取り付ける前の、フィルター構造体及び樹脂フィルターの外観形状を概略的に示した斜視図であり、図９は図８に対応した図であって、フィルター構造体の取付工程を概略的に示した正面図である。
【００３９】
まず図８及び図９の（１）を参照して、サイズの小さい樹脂フィルター２７に使用するときには、はじめにポリウレタンゴム１８を拡げた開放部１７を経由して、フィルター構造体１１の内方に樹脂フィルター２７を挿入する。
【００４０】
次に、図９の（２）に示したように、フィルター構造体１１の余ったフィルター本体１４の部分の開方部１７側の端部をねじる。最後に、図９の（３）に示したように、フィルター構造体１１のねじった部分よりも開放部１７側の部分を樹脂フィルター２７の側に裏返し、樹脂フィルター２７に被せ、開放部１７のポリウレタンゴム１８を介してフィルター構造体１１を樹脂フィルター２７に固定する。このようにすれば、樹脂フィルターのサイズによらず、フィルター構造体１１を安定して取り付けることができる。
【００４１】
尚、上記の実施の形態では、フィルター構造体を浴室換気乾燥機の樹脂フィルター又はフィルター枠に取り付けているが、エアコン等の機器の吸気口に脱着自在に取り付けられる樹脂フィルター又はフィルター枠に対しても同様に適用できる。
【００４２】
又、上記の実施の形態では、伸縮自在なリング状のバンド体としてポリウレタンゴムを用いているが、伸縮自在でリング状のバンド体であれば他のものを使用しても良い。
【００４３】
更に、上記の実施の形態では、フィルター本体は袋状に形成されているが、フィルター本体は、少なくとも一方に開放部を有し、伸縮自在に構成された筒状であれば、本発明と同様の効果を奏する。
【００４４】
更に、上記の実施の形態では、開放部は１つであるが、２つ設けてフィルター本体を筒状に形成しても良い。
【００４５】
更に、上記の実施の形態では、フィルター本体はＰＥＴ繊維から形成されているが、例えばナイロン、ポリ乳酸、ポリプロピレン（ＰＰ）、アクリロニトリル・ブタジエン・スチレン共重合合成樹脂（ＡＢＳ）、ポリメタクリル酸メチル（ＰＭＭＡ）、ポリカーボネート、ポリアセタール等の繊維から形成されていても良い。
【００４６】
更に、上記の実施の形態では、フィルター本体は、繊維の特性にかかわらず周方向に延びやすくなるために丸編みによって形成されているが、フィルター本体の少なくとも周方向に伸縮性があれば、他の編み方や織り方によって形成されても良い。
【００４７】
更に、上記の実施の形態では、フィルター本体はＰＥＴ繊維のみから形成されているが、繊維に抗菌物質等を練り込んだり、バインダーによって付着させても良い。
【００４８】
更に、上記の実施の形態では、フィルター本体は特定数値のデニールから形成されているが、浴室換気乾燥機の樹脂フィルター、又は、フィルター枠に使用するには、最大３００デニールの太さの繊維により６０メッシュ以下に形成されていれば、本発明と同様に浴室換気乾燥機の作動に影響を与えない。
【実施例】
【００４９】
以下に実施例及び比較例を示し、本発明の特徴をより具体的に説明する。但し、本発明の範囲は実施例に限定されるものではない。
１．浴室換気乾燥機作動時の浴室内温度の測定
実施例に係るフィルターとして、メッシュ数及びデニール数が一定範囲の本発明のフィルター構造体を用い、一方で、比較例に係るフィルターとして、メッシュ数が異なった本発明のフィルター構造体と、目付及びデニール数が一定範囲の不織布とを用いた。そして各々のフィルターを（１）樹脂フィルターに取り付けない場合（以下、「フィルターなし（Ａ）」という）と、（２）樹脂フィルターに取り付けた場合（以下、「フィルターあり（Ｂ）」という）とで、浴室換気乾燥機を作動させ、（１）及び（２）の各々について、浴室換気乾燥機のサーモスタットが作動することで浴室内の温度上昇が停止したときの、浴室内温度を測定した。
【００５０】
尚、本実施例において、フィルター構造体は、ＰＥＴ繊維から形成されたフィルター本体を有し、一方で、不織布はＰＥＴ製であった。又、実施例、比較例共に、浴室換気乾燥機の種類、浴室内での測定条件は、以下の通り同一とした。
浴室換気乾燥機の種類：
・マックス株式会社製（品番：ＢＳ−１１２ＨＡ、換気扇サイズ：縦３７ｃｍ×横４６ｃｍ）
浴室の状態：
・浴室サイズ  幅１１０ｃｍ×奥行き１６０ｃｍ×高さ２００ｃｍ
・浴室内に窓なし
・浴室のドアは閉状態
・浴室内は乾燥状態
・実験開始前（浴室換気乾燥機作動前）の浴室内の温度  ２７℃（浴室内の温度が安定したことを確認してから、浴室換気乾燥機を作動させた）
２．評価方法
「フィルターなし（Ａ）」と「フィルターあり（Ｂ）」の差が３℃未満であれば「○」と評価し、その差が３℃以上になったときは「×」と評価した。これらの結果を表１にまとめる。
【００５１】
【表１】
2015009172.tif 000003
表１から、フィルター本体は、最大３００デニールの太さの繊維により６０メッシュ以下に形成されている（実施例１〜実施例３）と、浴室換気乾燥機の作動への影響が少ないことがわかった。
【００５２】
一方で、フィルター本体のデニールは３００であっても１２０メッシュになると、浴室換気乾燥機のサーモスタット作動時の浴室内の温度は低かった（比較例１）。又、不織布のフィルターを取り付けると、不織布の目付やデニール数にかかわらず、浴室換気乾燥機のサーモスタット作動時の浴室内の温度は低かった（比較例２〜比較例６）。これらの結果は、１２０メッシュのフィルター本体、又は不織布のフィルターを取り付けると、浴室換気乾燥機による吸気量が減少して浴室換気乾燥機内部の温度が上がり、それにより浴室内の温度がそれほど上昇していないにもかかわらずサーモスタットが作動することによると考えられる。尚、樹脂フィルターをフィルター枠に代えて同様の実験を行っても、同様の結果が得られると予想される。
【符号の説明】
【００５３】
１１…フィルター構造体
１４…フィルター本体
１５…ＰＥＴ繊維
１７…開放部
１８…ポリウレタンゴム
２７，７７…樹脂フィルター
７１，７１…浴室換気乾燥機
８７…フィルター枠
尚、各図中同一符号は同一又は相当部分を示す。
【図１】
2015009172.tif 000004
【図２】
2015009172.tif 000005
【図３】
2015009172.tif 000006
【図４】
2015009172.tif 000007
【図５】
2015009172.tif 000008
【図６】
2015009172.tif 000009
【図７】
2015009172.tif 000010
【図８】
2015009172.tif 000011
【図９】
2015009172.tif 000012
【図１０】
2015009172.tif 000013
【図１１】
2015009172.tif 000014
【図１２】
2015009172.tif 000015